(57)【特許請求の範囲】
【請求項１】
筒状の燃焼室周壁の内側に形成され、燃料ガス及び酸化剤ガスが混合された混合ガスが燃焼される燃焼室と、
前記燃焼室の軸方向一方側に設けられると共に、前記燃焼室の中心軸線上に配置され、前記燃焼室の軸方向他方側に向けて前記燃料ガスを噴出する燃料ガスノズルと、
前記燃料ガスノズルよりも前記燃焼室の軸方向他方側に設けられると共に、前記燃焼室の中心軸線と交差する第一軸線上に配置され、前記燃料ガスノズルから噴出された前記燃料ガスと交差するように前記酸化剤ガスを前記第一軸線に沿って噴出し、前記酸化剤ガスを前記燃料ガスと混合させる第一酸化剤ガスノズルと、
前記燃料ガスノズルよりも前記燃焼室の軸方向他方側に設けられると共に、前記燃焼室の中心軸線とねじれの位置にある第二軸線上に配置され、前記燃料ガスノズルから噴出された前記燃料ガスと交差しないように予備酸化剤ガスを前記第二軸線に沿って噴出する第二酸化剤ガスノズルと、
を備え、
前記第一酸化剤ガスノズルから噴出された前記酸化剤ガスでは前記混合ガスの燃焼に必要な酸素が不足する場合には、前記第二酸化剤ガスノズルから噴出された前記予備酸化剤ガスが、前記混合ガスの燃焼によって生ずる火炎に供給され、
前記第一酸化剤ガスノズルから噴出された前記酸化剤ガスで前記混合ガスの燃焼に必要な酸素が足りる場合には、前記第二酸化剤ガスノズルから噴出された前記予備酸化剤ガスが、前記混合ガスの燃焼によって生ずる燃焼排ガスに混合される、
燃焼器。
【請求項２】
筒状の燃焼室周壁の内側に形成され、燃料ガス及び酸化剤ガスが混合された混合ガスが燃焼される燃焼室と、
前記燃焼室の軸方向一方側に設けられると共に、前記燃焼室の中心軸線上に配置され、前記燃焼室の軸方向他方側に向けて前記燃料ガスを噴出する燃料ガスノズルと、
前記燃料ガスノズルよりも前記燃焼室の軸方向他方側に設けられると共に、前記燃焼室の中心軸線と交差する第一軸線上に配置され、前記燃料ガスノズルから噴出された前記燃料ガスと交差するように前記酸化剤ガスを前記第一軸線に沿って噴出し、前記酸化剤ガスを前記燃料ガスと混合させる第一酸化剤ガスノズルと、
前記燃料ガスノズルよりも前記燃焼室の軸方向他方側に設けられると共に、前記燃焼室の中心軸線とねじれの位置にある第二軸線上に配置され、前記燃料ガスノズルから噴出された前記燃料ガスと交差しないように予備酸化剤ガスを前記第二軸線に沿って噴出する第二酸化剤ガスノズルと、
を備え、
前記第一酸化剤ガスノズルを一対備え、
一対の前記第一酸化剤ガスノズルは、前記燃料ガスノズルの両側に互いに対向して配置されている、
燃焼器。
【請求項３】
筒状の燃焼室周壁の内側に形成され、燃料ガス及び酸化剤ガスが混合された混合ガスが燃焼される燃焼室と、
前記燃焼室の軸方向一方側に設けられると共に、前記燃焼室の中心軸線上に配置され、前記燃焼室の軸方向他方側に向けて前記燃料ガスを噴出する燃料ガスノズルと、
前記燃料ガスノズルよりも前記燃焼室の軸方向他方側に設けられると共に、前記燃焼室の中心軸線と交差する第一軸線上に配置され、前記燃料ガスノズルから噴出された前記燃料ガスと交差するように前記酸化剤ガスを前記第一軸線に沿って噴出し、前記酸化剤ガスを前記燃料ガスと混合させる第一酸化剤ガスノズルと、
前記燃料ガスノズルよりも前記燃焼室の軸方向他方側に設けられると共に、前記燃焼室の中心軸線とねじれの位置にある第二軸線上に配置され、前記燃料ガスノズルから噴出された前記燃料ガスと交差しないように予備酸化剤ガスを前記第二軸線に沿って噴出する第二酸化剤ガスノズルと、
を備え、
前記燃焼室周壁の内側に形成されると共に、前記燃焼室の軸方向一方側に前記燃焼室と隣接され、外部から前記燃料ガスが供給される燃料ガス室と、
前記燃焼室周壁の内側に形成されると共に、前記燃焼室周壁の径方向に前記燃料ガス室と隣接され、外部から前記酸化剤ガスが供給される酸化剤ガス室と、
前記燃焼室周壁の内側に設けられ、前記燃焼室と前記燃料ガス室とを区画すると共に、前記燃料ガスノズルが形成された燃料ガス室仕切壁と、
前記燃料ガス室仕切壁から前記燃焼室側に立設され、前記燃焼室と前記酸化剤ガス室とを区画すると共に、前記第一酸化剤ガスノズル及び前記第二酸化剤ガスノズルが形成された燃焼室側仕切壁と、前記燃料ガス室仕切壁から前記燃焼室と反対側に立設され、前記燃料ガス室と前記酸化剤ガス室とを区画する燃料ガス室側仕切壁とを有する酸化剤ガス室側面仕切壁と、
前記燃焼室側仕切壁の高さ方向の上端部と前記燃焼室周壁とを繋ぎ、前記燃焼室と前記酸化剤ガス室とを区画する酸化剤ガス室天面仕切壁とを備える、
燃焼器。
【請求項４】
前記燃焼室側仕切壁は、
前記燃料ガスノズルに面して設けられ、前記第一酸化剤ガスノズルが形成された中央壁部と、
前記中央壁部に対して前記燃焼室の外周部側へ鈍角に折り曲げられ、前記第二酸化剤ガスノズルが形成された側壁部とを有する、
請求項３に記載の燃焼器。
【請求項５】
前記燃焼室側仕切壁は、
前記燃料ガスノズルに面して設けられ、前記第一酸化剤ガスノズルが形成された中央壁部と、
前記中央壁部に対して前記燃焼室の外周部側へ直角に折り曲げられ、前記第二酸化剤ガスノズルが形成された側壁部とを有する、
請求項３に記載の燃焼器。
【請求項６】
前記酸化剤ガス室側面仕切壁は、前記燃焼室周壁の径方向に沿って直線状に形成されている、
請求項３に記載の燃焼器。
【請求項７】
筒状の燃焼室周壁の内側に形成され、燃料ガス及び酸化剤ガスが混合された混合ガスが燃焼される燃焼室と、
前記燃焼室の軸方向一方側に設けられると共に、前記燃焼室の中心軸線上に配置され、前記燃焼室の軸方向他方側に向けて前記燃料ガスを噴出する燃料ガスノズルと、
前記燃料ガスノズルよりも前記燃焼室の軸方向他方側に設けられると共に、前記燃焼室の中心軸線と交差する第一軸線上に配置され、前記燃料ガスノズルから噴出された前記燃料ガスと交差するように前記酸化剤ガスを前記第一軸線に沿って噴出し、前記酸化剤ガスを前記燃料ガスと混合させる第一酸化剤ガスノズルと、
前記燃料ガスノズルよりも前記燃焼室の軸方向他方側に設けられると共に、前記燃焼室の中心軸線とねじれの位置にある第二軸線上に配置され、前記燃料ガスノズルから噴出された前記燃料ガスと交差しないように予備酸化剤ガスを前記第二軸線に沿って噴出する第二酸化剤ガスノズルと、
を備え、
前記燃焼室周壁の内側に設けられると共に、前記燃焼室の軸方向他方側に配置され、前記燃焼室周壁とで、前記燃焼室で生じた燃焼排ガスが流入する燃焼排ガス流路の入口部を形成する燃焼室内壁と、
前記燃焼室内壁から前記燃焼室の軸方向一方側に向けて延出されると共に、前記燃焼室の軸方向他方側に向かうに従って拡径する円錐又はドーム状に形成された整流部とを備える、
燃焼器。
【請求項８】
前記整流部の内側は、空洞、又は、断熱材が充填された断熱部とされている、
請求項７に記載の燃焼器。
【請求項９】
前記整流部は、耐火材により形成されている、
請求項７又は請求項８に記載の燃焼器。
【請求項１０】
前記燃焼室内壁及び前記整流部の軸芯部に設けられたパイプと、
前記パイプにおける前記整流部側と反対側の開口から前記パイプの内側に挿抜可能に挿入され、先端側に前記パイプから突出する点火電極を有する点火プラグとを備える、
請求項９に記載の燃焼器。
【請求項１１】
筒状の燃焼室周壁の内側に形成され、燃料ガス及び酸化剤ガスが混合された混合ガスが燃焼される燃焼室と、
前記燃焼室の軸方向一方側に設けられると共に、前記燃焼室の中心軸線上に配置され、前記燃焼室の軸方向他方側に向けて前記燃料ガスを噴出する燃料ガスノズルと、
前記燃料ガスノズルよりも前記燃焼室の軸方向他方側に設けられると共に、前記燃焼室の中心軸線と交差する第一軸線上に配置され、前記燃料ガスノズルから噴出された前記燃料ガスと交差するように前記酸化剤ガスを前記第一軸線に沿って噴出し、前記酸化剤ガスを前記燃料ガスと混合させる第一酸化剤ガスノズルと、
前記燃料ガスノズルよりも前記燃焼室の軸方向他方側に設けられると共に、前記燃焼室の中心軸線とねじれの位置にある第二軸線上に配置され、前記燃料ガスノズルから噴出された前記燃料ガスと交差しないように予備酸化剤ガスを前記第二軸線に沿って噴出する第二酸化剤ガスノズルと、
を備え、
前記第一酸化剤ガスノズル及び前記第二酸化剤ガスノズルにより構成された酸化剤ガスノズルを一対備え、
一対の前記酸化剤ガスノズルは、前記燃焼室の中心軸線を中心に点対称に配置されている、
燃焼器。
【請求項１２】
前記燃焼室周壁の内側に形成されると共に、前記燃焼室の軸方向一方側に前記燃焼室と隣接され、外部から前記燃料ガスが供給される燃料ガス室と、
前記燃焼室周壁の内側に形成されると共に、前記燃焼室周壁の径方向に前記燃料ガス室と隣接され、外部から前記酸化剤ガスが供給される酸化剤ガス室と、
前記燃焼室周壁の内側に設けられ、前記燃焼室と前記燃料ガス室とを区画すると共に、前記燃料ガスノズルが形成された燃料ガス室仕切壁と、
前記燃料ガス室仕切壁から前記燃焼室側に立設され、前記燃焼室と前記酸化剤ガス室とを区画すると共に、前記第一酸化剤ガスノズル及び前記第二酸化剤ガスノズルが形成された燃焼室側仕切壁と、前記燃料ガス室仕切壁から前記燃焼室と反対側に立設され、前記燃料ガス室と前記酸化剤ガス室とを区画する燃料ガス室側仕切壁とを有する酸化剤ガス室側面仕切壁と、
前記燃焼室側仕切壁の高さ方向の上端部と前記燃焼室周壁とを繋ぎ、前記燃焼室と前記酸化剤ガス室とを区画する酸化剤ガス室天面仕切壁とを備え、
前記酸化剤ガス室、前記酸化剤ガス室側面仕切壁、及び、前記酸化剤ガス室天面仕切壁をそれぞれ一対備え、
各前記酸化剤ガス室側面仕切壁の前記燃焼室側仕切壁は、
前記燃料ガスノズルに面して設けられ、前記第一酸化剤ガスノズルが形成された中央壁部と、
前記中央壁部の横幅方向の両側に設けられ、前記中央壁部と前記燃焼室周壁とを繋ぐ一対の延長壁部とを有し、
各前記酸化剤ガス室側面仕切壁の前記燃焼室側仕切壁において、前記第二酸化剤ガスノズルは、前記一対の延長壁部の一方に形成され、
各前記酸化剤ガス室天面仕切壁は、他方の前記延長壁部側から一方の前記延長壁部側に向かうに従って前記燃焼室の軸方向他方側に向かうように前記燃焼室の軸方向に対して傾斜されている、
請求項１１に記載の燃焼器。
【請求項１３】
燃料ガスと酸化剤ガスとの電気化学反応により発電する固体酸化物形燃料電池セルスタックと、
原燃料が気化されて原燃料ガスが生成される気化部と、
前記原燃料ガスから前記燃料ガスが生成される改質部と、
前記燃料電池セルスタックの燃料極から排出された燃料極排ガスである燃料ガスと、前記燃料電池セルスタックの空気極から排出された空気極排ガスである酸化剤ガスとを含むスタック排ガスを燃焼させる、請求項１〜請求項１２のいずれか１項に記載の燃焼器と、
を備える、燃料電池モジュール。
【請求項１４】
前記燃焼器は、前記燃料電池セルスタックの上方に設けられ、
前記改質部は、前記燃焼器の上方に前記燃焼器と同軸上に設けられると共に、互いの間に隙間を有する少なくとも三重の筒状壁によって構成され、かつ、該三重の筒状壁における内側及び筒状壁の間に、断熱空間、前記燃焼器から排出された燃焼排ガスが流れる燃焼排ガス流路、及び、前記燃焼排ガスの熱を利用して前記原燃料ガスが改質されて前記燃料ガスが生成される改質流路をそれぞれ有し、
前記気化部は、前記改質部の上方に前記改質部と同軸上に設けられると共に、互いの間に隙間を有する少なくとも三重の円筒状又は楕円筒状の筒状壁によって構成され、かつ、該三重の筒状壁における内側及び筒状壁の間に、断熱空間、前記燃焼排ガスが流れる燃焼排ガス流路、及び、前記燃焼排ガスとの熱交換により前記原燃料が気化されて前記原燃料ガスが生成される気化流路をそれぞれ有する、
請求項１３に記載の燃料電池モジュール。
【発明の詳細な説明】
【技術分野】
【０００１】
本発明は、燃焼器及び燃料電池モジュールに関する。
【背景技術】
【０００２】
従来、固体酸化物形燃料電池セルスタックと、原燃料ガスを改質し燃料電池セルスタックに供給される改質ガスを生成する改質部と、燃料電池セルスタックから排出されたスタック排ガスを燃焼する燃焼部とを備えた燃料電池モジュールが知られている。
【０００３】
また、この種の燃料電池モジュールには、燃焼部が単一の燃焼器で構成されたものがある（例えば、特許文献１参照）。この燃料電池モジュールでは、起動時に改質部にて未反応の原燃料ガス及び酸化剤ガスを含み燃料電池セルスタックを通過したスタック排ガスが燃焼器で燃焼され、発電時には燃料電池セルスタックにて発電に供されなかった改質ガス及び酸化剤ガスを含むスタック排ガスが起動時と同じ燃焼器で燃焼される。
【０００４】
このように、燃焼部が単一の燃焼器で構成された場合、起動時と発電時とで性状や組成等の異なるスタック排ガスが単一の燃焼器で燃焼される。しかしながら、このような構成の場合には、起動時における未反応の原燃料ガスが着火しにくく火炎の吹き消えを起こしやすいなど、燃焼器での着火性及び燃焼安定性に課題がある。
【０００５】
そこで、燃焼部を一対の燃焼器で構成し、一方の燃焼器で起動時にて未反応の原燃料ガス及び酸化剤ガスを含むスタック排ガスを燃焼し、他方の燃焼器で発電時に燃料電池セルスタックにて発電に供されなかった改質ガス及び酸化剤ガスを含むスタック排ガスを燃焼する燃料電池モジュールが提案されている（例えば、特許文献２，３参照）。
【０００６】
ところが、燃焼部が一対の燃焼器で構成された場合、一対の燃焼器に対して二系統のガス供給経路が必要になるため、燃焼部及びその周辺の構造が複雑化し、大型化及び高コスト化の要因となる。
【０００７】
また、燃焼器の下流側に未燃分の改質ガスを完全燃焼させる触媒燃焼器を備える燃料電池モジュール（例えば、特許文献４参照）も提案されているが、触媒燃焼器を備える分、構造の複雑化及び高コスト化の要因となる。
【０００８】
したがって、起動時と発電時とで性状や組成等の異なるスタック排ガスを単一の燃焼器で安定して燃焼させることができることが理想である。なお、以上は、燃料電池モジュールにおける燃焼器の課題であるが、上記課題は、燃料電池モジュール以外の機器における燃焼器においても生じ得るものである。
【先行技術文献】
【特許文献】
【０００９】
【特許文献１】特開２０１１−２２２１３６号公報
【特許文献２】特開２０１４−７８３４８号公報
【特許文献３】特開２０１４−７２０２６号公報
【特許文献４】特開２００２−８３６２０号公報
【発明の概要】
【発明が解決しようとする課題】
【００１０】
本発明は、上記事情に鑑みて成されたものであり、その目的は、燃料ガス及び酸化剤ガスが混合された混合ガスの性状や組成等が異なる場合でも、混合ガスを安定して燃焼させることができる燃焼器を提供することにある。
【００１１】
また、本発明の他の目的は、燃焼器及びその周辺の構造を簡素化でき、小型化及び低コスト化を実現することができる燃料電池モジュールを提供することにある。
【課題を解決するための手段】
【００１２】
上記目的を達成するために、本発明の燃焼器は、筒状の燃焼室周壁の内側に形成され、燃料ガス及び酸化剤ガスが混合された混合ガスが燃焼される燃焼室と、前記燃焼室の軸方向一方側に設けられると共に、前記燃焼室の中心軸線上に配置され、前記燃焼室の軸方向他方側に向けて前記燃料ガスを噴出する燃料ガスノズルと、前記燃料ガスノズルよりも前記燃焼室の軸方向他方側に設けられると共に、前記燃焼室の中心軸線と交差する第一軸線上に配置され、前記燃料ガスノズルから噴出された前記燃料ガスと交差するように前記酸化剤ガスを前記第一軸線に沿って噴出し、前記酸化剤ガスを前記燃料ガスと混合させる第一酸化剤ガスノズルと、前記燃料ガスノズルよりも前記燃焼室の軸方向他方側に設けられると共に、前記燃焼室の中心軸線とねじれの位置にある第二軸線上に配置され、前記燃料ガスノズルから噴出された前記燃料ガスと交差しないように予備酸化剤ガスを前記第二軸線に沿って噴出する第二酸化剤ガスノズルと、を備える。
【００１３】
この燃焼器によれば、燃料ガスノズルから噴出された燃料ガスの噴流と、酸化剤ガスノズルから噴出された酸化剤ガスの噴流とが交差される。これにより、燃料ガスの噴流と酸化剤ガスの噴流とが互いに拡散しながら、燃料ガスの燃焼範囲に収まる酸化剤ガスと燃料ガスとで混合領域が形成されるので、燃料ガス及び酸化剤ガスを効果的に混合させることができる。これにより、燃料ガス及び酸化剤ガスが混合された混合ガスの性状や組成等が異なる場合でも、混合ガスを安定して燃焼させることができる。
【００１４】
また、例えば、通常の空気比（理論空気比）の場合には、第一酸化剤ガスノズルから噴出された酸化剤ガスだけでは混合ガスの燃焼に必要な酸素が不足するため、燃焼は緩慢になり、第二酸化剤ガスノズルから噴出された予備酸化剤ガスからも混合ガスの燃焼に必要な酸素が火炎に供給され、燃焼反応が完結する。
【００１５】
一方、空気比が高い場合には、第一酸化剤ガスノズルから噴出された酸化剤ガスで混合ガスの燃焼に必要な酸素が足りるため、第一酸化剤ガスノズルから噴出された酸化剤ガスから混合ガスの燃焼に必要な酸素が火炎に供給され、燃焼反応が完結する。この場合には、第二酸化剤ガスノズルから噴出された予備酸化剤ガスの噴流が、混合ガスの燃焼によって生ずる燃焼排ガスに混合され、燃焼室から排出される。
【００１６】
以上より、通常の空気比（理論空気比）から高空気比（例えばλ＝５程度）までの広い空気比の範囲で火炎が吹き消えず安定な燃焼を得ることができる。
【００１７】
なお、本発明の燃焼器は、前記第一酸化剤ガスノズルを一対備え、一対の前記第一酸化剤ガスノズルは、前記燃料ガスノズルの両側に互いに対向して配置されていても良い。
【００１８】
この燃焼器によれば、互いに対向して配置された一対の酸化剤ガスノズルから噴出された酸化剤ガスの噴流が、燃料ガスノズルから噴出された燃料ガスの噴流の両側からこの燃料ガスの噴流と交差される。これにより、燃料ガスの噴流と酸化剤ガスの噴流との拡散を促すことができるので、燃料ガス及び酸化剤ガスをより一層効果的に混合させることができる。
【００１９】
また、本発明の燃焼器は、前記燃焼室周壁の内側に形成されると共に、前記燃焼室の軸方向一方側に前記燃焼室と隣接され、外部から前記燃料ガスが供給される燃料ガス室と、前記燃焼室周壁の内側に形成されると共に、前記燃焼室周壁の径方向に前記燃料ガス室と隣接され、外部から前記酸化剤ガスが供給される酸化剤ガス室と、前記燃焼室周壁の内側に設けられ、前記燃焼室と前記燃料ガス室とを区画すると共に、前記燃料ガスノズルが形成された燃料ガス室仕切壁と、前記燃料ガス室仕切壁から前記燃焼室側に立設され、前記燃焼室と前記酸化剤ガス室とを区画すると共に、前記第一酸化剤ガスノズル及び前記第二酸化剤ガスノズルが形成された燃焼室側仕切壁と、前記燃料ガス室仕切壁から前記燃焼室と反対側に立設され、前記燃料ガス室と前記酸化剤ガス室とを区画する燃料ガス室側仕切壁とを有する酸化剤ガス室側面仕切壁と、前記燃焼室側仕切壁の高さ方向の上端部と前記燃焼室周壁とを繋ぎ、前記燃焼室と前記酸化剤ガス室とを区画する酸化剤ガス室天面仕切壁とを備えていても良い。
【００２０】
この燃焼器によれば、燃料ガス室仕切壁と、酸化剤ガス室側面仕切壁と、酸化剤ガス室天面仕切壁とによって、燃焼器を複数の空間（燃焼室、燃料ガス室、酸化剤ガス室）に区画することができるので、燃焼器の構造を簡素化することができる。これにより、燃焼器の小型化及び低コスト化を図ることができる。
【００２１】
また、本発明の燃焼器において、前記燃焼室側仕切壁は、前記燃料ガスノズルに面して設けられ、前記第一酸化剤ガスノズルが形成された中央壁部と、前記中央壁部に対して前記燃焼室の外周部側へ鈍角に折り曲げられ、前記第二酸化剤ガスノズルが形成された側壁部とを有していても良い。
【００２２】
この燃焼器によれば、第一酸化剤ガスノズルが形成された中央壁部に対して第二酸化剤ガスノズルが形成された側壁部が燃焼室の外周部側へ鈍角に折り曲げられている。したがって、第一酸化剤ガスノズルからの酸化剤ガスの噴出方向と、第二酸化剤ガスノズルからの予備酸化剤ガスの噴出方向とが鋭角を成すので、例えば、通常の空気比（理論空気比）の場合には、第一酸化剤ガスノズルからの酸化剤ガスにより燃焼された火炎に、第二酸化剤ガスノズルから噴出された予備酸化剤ガスを効率良く供給することができる。一方、空気比が高い場合には、火炎の燃焼により生じた燃焼排ガスに、第二酸化剤ガスノズルから噴出された予備酸化剤ガスを効率良く混合させることができる。
【００２３】
また、本発明の燃焼器において、前記燃焼室側仕切壁は、前記燃料ガスノズルに面して設けられ、前記第一酸化剤ガスノズルが形成された中央壁部と、前記中央壁部に対して前記燃焼室の外周部側へ直角に折り曲げられ、前記第二酸化剤ガスノズルが形成された側壁部とを有していても良い。
【００２４】
この燃焼器によれば、第一酸化剤ガスノズルが形成された中央壁部に対して第二酸化剤ガスノズルが形成された側壁部が燃焼室の外周部側へ直角に折り曲げられている。したがって、第一酸化剤ガスノズルからの酸化剤ガスの噴出方向と、第二酸化剤ガスノズルからの予備酸化剤ガスの噴出方向とが直角を成すので、燃料ガスノズルから噴出された燃料ガスと、第一酸化剤ガスノズルから噴出された酸化剤ガスとの混合ガスに、第二酸化剤ガスノズルから噴出された予備酸化剤ガスの噴流（二次空気）が干渉することを抑制することができる。これにより、例えば、空気比が高い場合には、混合ガスの燃焼に影響することを抑制することができるので、混合ガスの燃焼の安定性を向上させることができる。
【００２５】
また、本発明の燃焼器において、前記燃焼室側仕切壁は、前記燃料ガスノズルに面して設けられ、前記第一酸化剤ガスノズルが形成された中央壁部と、前記中央壁部に対して前記燃焼室の外周部側へ直角に折り曲げられ、前記第二酸化剤ガスノズルが形成された側壁部とを有していても良い。
【００２６】
この燃焼器によれば、酸化剤ガス室側面仕切壁が、燃焼室内壁の径方向に沿って直線状に形成されているので、酸化剤ガス室側面仕切壁の構造、ひいては、燃焼器の内部構造を簡素化することができる。これにより、燃焼器の小型化及び低コスト化を図ることができる。
【００２７】
また、本発明の燃焼器は、前記燃焼室周壁の内側に設けられると共に、前記燃焼室の軸方向他方側に配置され、前記燃焼室周壁とで、前記燃焼室で生じた燃焼排ガスが流入する燃焼排ガス流路の入口部を形成する燃焼室内壁と、前記燃焼室内壁から前記燃焼室の軸方向一方側に向けて延出されると共に、前記燃焼室の軸方向他方側に向かうに従って拡径する円錐又はドーム状に形成された整流部とを備えていても良い。
【００２８】
この燃焼器によれば、円錐又はドーム状の整流部によって燃焼排ガスを燃焼室の外周側に集めて整流することができるので、例えば、燃焼器の周囲に流路が設けられた場合には、この流路を流れるガスに燃焼排ガスの熱を効率良く伝達することができる。
【００２９】
また、本発明の燃焼器において、前記整流部の内側は、空洞、又は、断熱材が充填された断熱部とされていても良い。
【００３０】
この燃焼器によれば、整流部の内側は、空洞、又は、断熱材が充填された断熱部とされているので、整流部の内側への放熱を抑制して、燃焼器の外部へ伝達する熱量を増加させることができる。
【００３１】
また、本発明の燃焼器において、前記整流部は、耐火材により形成されていても良い。
【００３２】
この燃焼器によれば、整流部は、耐火材により形成されているので、整流部の耐久性を確保することができる。
【００３３】
また、本発明の燃焼器は、前記燃焼室内壁及び前記整流部の軸芯部に設けられたパイプと、前記パイプにおける前記整流部側と反対側の開口から前記パイプの内側に挿抜可能に挿入され、先端側に前記パイプから突出する点火電極を有する点火プラグとを備えていても良い。
【００３４】
この燃焼器によれば、点火プラグは、パイプにおける整流部側と反対側の開口を通じてパイプに対して挿抜可能とされているので、外部から点火プラグの交換を容易に行うことができる。
【００３５】
また、本発明の燃焼器は、前記第一酸化剤ガスノズル及び前記第二酸化剤ガスノズルにより構成された酸化剤ガスノズルを一対備え、一対の前記酸化剤ガスノズルは、前記燃焼室の中心軸線を中心に点対称に配置されていても良い。
【００３６】
この燃焼器によれば、第一酸化剤ガスノズル及び第二酸化剤ガスノズルにより構成された酸化剤ガスノズルは、燃焼室の中心軸線を中心に点対称に配置されている。したがって、酸化剤ガスノズルから噴出された酸化剤ガスの噴流によって燃焼室の中心軸線周りに旋回流が形成され、これにより、火炎及び燃焼排ガスも旋回されるので、火炎及び燃焼排ガスが燃焼室の外周側に拡がり、燃焼室周壁への熱伝達が促進される。これにより、例えば、燃焼器の周囲に流路が設けられた場合には、この流路を流れるガスに燃焼排ガスの熱を均一に伝達することができる。
【００３７】
また、本発明の燃焼器は、前記酸化剤ガス室、前記酸化剤ガス室側面仕切壁、及び、前記酸化剤ガス室天面仕切壁をそれぞれ一対備え、各前記酸化剤ガス室側面仕切壁の前記燃焼室側仕切壁は、前記燃料ガスノズルに面して設けられ、前記第一酸化剤ガスノズルが形成された中央壁部と、前記中央壁部の横幅方向の両側に設けられ、前記中央壁部と前記燃焼室周壁とを繋ぐ一対の延長壁部とを有し、各前記酸化剤ガス室側面仕切壁の前記燃焼室側仕切壁において、前記第二酸化剤ガスノズルは、前記一対の延長壁部の一方に形成され、各前記酸化剤ガス室天面仕切壁は、他方の前記延長壁部側から一方の前記延長壁部側に向かうに従って前記燃焼室の軸方向他方側に向かうように前記燃焼室の軸方向に対して傾斜されていても良い。
【００３８】
この燃焼器によれば、酸化剤ガス室天面仕切壁は、他方の延長壁部側（第二酸化剤ガスノズルが無い側）から一方の延長壁部側（第二酸化剤ガスノズルが有る側）に向かうに従って燃焼室の軸方向他方側に向かうように燃焼室の軸方向に対して傾斜されている。したがって、傾斜する酸化剤ガス室天面仕切壁によって、酸化剤ガスの噴流により形成された旋回流の旋回性、ひいては、火炎及び燃焼排ガスの旋回性が増加されるので、燃焼室周壁への熱伝達効率を向上させることができる。また、例えば、燃焼器の周囲に流路が設けられた場合には、この流路を流れるガスに燃焼排ガスの熱をより一層均一に伝達することができる。さらに、酸化剤ガス室側面仕切壁の折り曲げが不要なので、燃焼器を小型化及び低コスト化することができる。
【００３９】
また、上記目的を達成するために、本発明の燃料電池モジュールは、燃料ガスと酸化剤ガスとの電気化学反応により発電する固体酸化物形燃料電池セルスタックと、原燃料が気化されて原燃料ガスが生成される気化部と、前記原燃料ガスから前記燃料ガスが生成される改質部と、前記燃料電池セルスタックの燃料極から排出された燃料極排ガスである燃料ガスと、前記燃料電池セルスタックの空気極から排出された空気極排ガスである酸化剤ガスとを含むスタック排ガスを燃焼させる、前記燃焼器とを備える。
【００４０】
この燃料電池モジュールによれば、上述の燃焼器が適用されているので、起動時や発電時に燃料ガス及び酸化剤ガスを含むスタック排ガスの性状や組成等が異なる場合でも、その混合ガスを単一の燃焼器で安定して燃焼させることができる。これにより、燃焼器及びその周辺の構造を簡素化できるので、燃料電池モジュールの小型化及び低コスト化を図ることができる。
【００４１】
なお、本発明の燃料電池モジュールにおいて、前記燃焼器は、前記燃料電池セルスタックの上方に設けられ、前記改質部は、前記燃焼器の上方に前記燃焼器と同軸上に設けられると共に、互いの間に隙間を有する少なくとも三重の筒状壁によって構成され、かつ、該三重の筒状壁における内側及び筒状壁の間に、断熱空間、前記燃焼器から排出された燃焼排ガスが流れる燃焼排ガス流路、及び、前記燃焼排ガスの熱を利用して前記原燃料ガスが改質されて前記燃料ガスが生成される改質流路をそれぞれ有し、前記気化部は、前記改質部の上方に前記改質部と同軸上に設けられると共に、互いの間に隙間を有する少なくとも三重の円筒状又は楕円筒状の筒状壁によって構成され、かつ、該三重の筒状壁における内側及び筒状壁の間に、断熱空間、前記燃焼排ガスが流れる燃焼排ガス流路、及び、前記燃焼排ガスとの熱交換により前記原燃料が気化されて前記原燃料ガスが生成される気化流路をそれぞれ有していても良い。
【００４２】
この燃料電池モジュールによれば、気化部及び改質部は、少なくとも三重の筒状壁によってそれぞれ形成されているので、気化部及び改質部の構造を簡素化することができると共に、気化部及び改質部を小型化することができる。また、燃焼器、改質部、気化部は、同軸上に配置されているので、燃料電池モジュールを径方向に小型化することができる。
【発明の効果】
【００４３】
以上詳述したように、本発明の燃焼器によれば、燃料ガス及び酸化剤ガスが混合された混合ガスの性状や組成等が異なる場合でも、混合ガスを安定して燃焼させることができる。
【００４４】
また、本発明の燃料電池モジュールによれば、燃焼器及びその周辺の構造を簡素化でき、小型化及び低コスト化を実現することができる。
【図面の簡単な説明】
【００４５】
【図１】燃料電池モジュールの縦断面図である。
【図２】燃料電池モジュールの要部拡大図である。
【図３】燃料電池モジュールの要部拡大図である。
【図４】燃料電池モジュールの要部拡大図である。
【図５】燃焼器の斜視図である。
【図６】燃焼器の縦断面を含む斜視図である。
【図７】燃焼器の縦断面図である。
【図８】燃焼器の横断面図である。
【図９】通常の空気比の場合の燃焼器の動作を説明する図である。
【図１０】空気比が高い場合の燃焼器の動作を説明する図である。
【図１１】燃焼器の第一変形例を示す斜視図である。
【図１２】燃焼器の第二変形例を示す斜視図である。
【図１３】燃焼器の第三変形例を示す斜視図である。
【図１４】燃焼器の第四変形例を示す斜視図である。
【図１５】燃焼器の第五変形例を示す斜視図である。
【図１６】燃焼器の第六変形例を示す斜視図である。
【発明を実施するための形態】
【００４６】
以下、本発明の一実施形態について説明する。
【００４７】
＜燃料電池モジュール＞
図１に示されるように、本実施形態に係る燃料電池モジュールＭは、燃料電池セルスタック１０と、容器２０と、断熱層１３０と、断熱材１４０とを備える。
【００４８】
＜燃料電池セルスタック＞
燃料電池セルスタック１０には、一例として、固体酸化物形燃料電池（ＳＯＦＣ）が適用されている。この燃料電池セルスタック１０は、鉛直方向に積層された複数の平板形のセル１２と、マニホールド１４と有している。セル１２の形状は、平板形以外に、円筒形、円筒平板形など、どのような形状でも良い。各セル１２は、燃料極、電解質層、空気極を有する。
【００４９】
各セル１２の燃料極には、燃料ガス（改質ガス）が供給され、各セル１２の空気極には、酸化剤ガスが供給される。各セル１２は、燃料ガスと酸化剤ガスとの電気化学反応により発電すると共に、発電に伴い発熱する。
【００５０】
＜容器＞
容器２０は、複数（九個）の管材２１〜２９により構成されている。この複数の管材２１〜２９は、いずれも横断面が真円形状である円筒状に形成され、伝熱性の高い金属で形成される。この複数の管材２１〜２９は、容器２０の内側から外側に順に配置されている。
【００５１】
容器２０の内側から一番目の管材２１は、燃料電池セルスタック１０の上方から容器２０の上端部に亘って設けられている。二番目の管材２２及び三番目の管材２３は、一番目の管材２１の上部に対応する長さで形成されており、二番目の管材２２は、一番目の管材２１の外側から管材２１の上部に接合されている。四番目の管材２４は、容器２０の高さ方向の中央部に設けられており、五番目の管材２５及び六番目の管材２６は、容器２０の下端部から上端部に亘って設けられている。七番目の管材２７、八番目の管材２８、及び、九番目の管材２９は、容器２０の高さ方向の中央部から上端部に亘って設けられている。
【００５２】
六番目の管材２６と七番目の管材２７とは、水平方向に延びる連結部３１を介して連結され、五番目の管材２５と八番目の管材２８とは、水平方向に延びる連結部３２を介して連結されている。また、九番目の管材２９の上端部は、水平方向に延びる連結部３３を介して三番目の管材２３の上端部に固定されている。
【００５３】
五番目の管材２５の下端部は、底壁部３４に固定されており、六番目の管材２６の下端部は、底壁部３５に固定されている。底壁部３４には、燃料電池セルスタック１０が載置されており、また、底壁部３４と底壁部３５とは、スペーサ３６により固定されている。
【００５４】
この複数の管材２１〜２９によって構成される容器２０は、機能別には、気化部４０と、改質部６０と、燃焼部９０と、予熱部１００と、熱交換部１１０とを有する。
【００５５】
＜気化部＞
気化部４０は、図２，図３に示されるように、四重の筒状壁４１〜４４によって構成されている。四重の筒状壁４１〜４４のうち最も内側に位置する筒状壁４１は、一番目の管材２１の上部と、二番目の管材２２とによって構成され、四重の筒状壁４１〜４４のうち内側から二番目の筒状壁４２は、三番目の管材２３によって構成されている。また、四重の筒状壁４１〜４４のうち内側から三番目の筒状壁４３は、五番目の管材２５の上部によって構成され、四重の筒状壁４１〜４４のうち最も外側の筒状壁４４は、六番目の管材２６の上部によって構成されている。
【００５６】
この四重の筒状壁４１〜４４によって構成された気化部４０は、後述する改質部６０の上方に改質部６０と同軸上に設けられている。この気化部４０を構成する四重の筒状壁４１〜４４は、互いの間に隙間を有しており、この四重の筒状壁４１〜４４の内側から外側には、断熱空間４５、気化流路４６、燃焼排ガス流路４７、及び、酸化剤ガス流路４８が順に形成されている。
【００５７】
つまり、一番目の筒状壁４１の内側の空間は、断熱空間４５として形成され、一番目の筒状壁４１と、二番目の筒状壁４２との間の隙間は、気化流路４６として形成されている。また、二番目の筒状壁４２と、三番目の筒状壁４３との間の隙間は、燃焼排ガス流路４７として形成され、三番目の筒状壁４３と、四番目の筒状壁４４との間の隙間は、酸化剤ガス流路４８として形成されている。図２において、断熱空間４５は、空洞とされているが、この断熱空間４５には、断熱材４９が充填されても良い。
【００５８】
気化流路４６の上端部には、容器２０の径方向外側に延びる原燃料供給管５０が接続されている。原燃料供給管５０は、連結部３１〜３３の上方に位置する。気化流路４６は、鉛直方向上側を上流側として形成されており、この気化流路４６には、原燃料供給管５０から供給された原燃料１６１が鉛直方向上側から下側に流れる。この原燃料供給管５０から供給される原燃料１６１としては、炭化水素燃料に改質用水が混合されたものが使用される。また、この原燃料１６１に含まれる炭化水素燃料としては、例えば、都市ガスが好適に用いられるが、プロパンなどの炭化水素を主成分とするガスが用いられても良く、また、炭化水素系液体が用いられても良い。
【００５９】
この気化流路４６には、気化部４０の軸方向回りに螺旋状に形成された螺旋部材５１が設けられており、この螺旋部材５１により、気化流路４６は、気化部４０の軸方向回りに螺旋状に形成されている。
【００６０】
燃焼排ガス流路４７の下端部は、後述する改質部６０に形成された燃焼排ガス流路６７を介して燃焼器２００に形成された燃焼室２０７（図４，図５参照）と連通されている。燃焼排ガス流路４７は、鉛直方向下側を上流側として形成されており、この燃焼排ガス流路４７には、燃焼器２００から排出されると共に改質部６０の燃焼排ガス流路６７を通じて供給された燃焼排ガス１６８が鉛直方向下側から上側に流れる。
【００６１】
燃焼排ガス流路４７の上端部には、この燃焼排ガス流路４７の周方向に沿って環状に形成された整流板５２が設けられている。この整流板５２には、周方向に間隔を空けて複数のオリフィス５３が形成されている。この複数のオリフィス５３は、整流板５２の板厚方向に貫通している。なお、この整流板５２は、省かれても良い。
【００６２】
酸化剤ガス流路４８の上端部は、後述する熱交換部１１０に形成された酸化剤ガス流路１１８と連通されている。この酸化剤ガス流路４８は、鉛直方向上側を上流側として形成されており、この酸化剤ガス流路４８には、熱交換部１１０の酸化剤ガス流路１１８から供給された酸化剤ガス１６４が鉛直方向上側から下側に流れる。
【００６３】
＜改質部＞
図３に示されるように、改質部６０は、四重の筒状壁６１〜６４によって構成されている。四重の筒状壁６１〜６４のうち最も内側に位置する筒状壁６１は、一番目の管材２１の下部によって構成され、四重の筒状壁６１〜６４のうち内側から二番目の筒状壁６２は、四番目の管材２４によって構成されている。また、四重の筒状壁６１〜６４のうち内側から三番目の筒状壁６３は、五番目の管材２５における高さ方向の中央部によって構成され、四重の筒状壁６１〜６４のうち最も外側の筒状壁６４は、六番目の管材２６における高さ方向の中央部によって構成されている。
【００６４】
この四重の筒状壁６１〜６４によって構成された改質部６０は、後述する燃焼器２００（図４参照）の上方に燃焼器２００と同軸上に設けられている。この改質部６０を構成する四重の筒状壁６１〜６４は、互いの間に隙間を有している。そして、この四重の筒状壁６１〜６４の内側から外側には、断熱空間６５、燃焼排ガス流路６７、改質流路６６、及び、酸化剤ガス流路６８が順に形成されている。
【００６５】
つまり、一番目の筒状壁６１の内側の空間は、断熱空間６５として形成され、一番目の筒状壁６１と、二番目の筒状壁６２との間の隙間は、燃焼排ガス流路６７として形成されている。また、二番目の筒状壁６２と、三番目の筒状壁６３との間の隙間は、改質流路６６として形成され、三番目の筒状壁６３と、四番目の筒状壁６４との間の隙間は、酸化剤ガス流路６８として形成されている。
【００６６】
断熱空間６５は、上述の気化部４０の断熱空間４５と連通している。図３において、断熱空間６５は、空洞とされているが、この断熱空間６５には、断熱材６９が充填されても良い。燃焼排ガス流路６７の下端部は、後述する燃焼器２００に形成された燃焼室２０７（図４，図５参照）と連通されている。燃焼排ガス流路６７は、鉛直方向下側を上流側として形成されており、この燃焼排ガス流路６７には、後述する燃焼器２００から排出された燃焼排ガス１６８が鉛直方向下側から上側に流れる。
【００６７】
＜混合部及び分散部＞
改質部６０の上端部には、鉛直方向上側に延長された混合部８０が形成されている。この混合部８０は、気化部４０と改質部６０との間、すなわち、より具体的には、改質部６０の上側且つ気化部４０の下端部の径方向外側に位置する。気化部４０の下端部における周方向の一部からは、連結管８１が径方向外側に延びている。連結管８１は、混合部８０における気化部４０との接続部を構成しており、この連結管８１の内側は、水平方向に貫通するオリフィス８２として形成されている。連結管８１（オリフィス８２）は、気化流路４６の径方向外側に位置しており、気化流路４６の下端部と連通する。混合部８０は、連結管８１（オリフィス８２）を一つのみ有する。混合部８０には、オリフィス８２に対する改質流路６６側（径方向外側）に位置しオリフィス８２と対向する対向壁部８６が設けられている。
【００６８】
改質流路６６の入口（上端）は、混合部８０及び連結管８１を介して気化流路４６と連通されている。改質流路６６は、鉛直方向上側を上流側として形成されており、この改質流路６６には、気化流路４６から供給された原燃料ガス１６２が鉛直方向上側から下側に流れる。
【００６９】
この改質流路６６の入口には、改質流路６６の周方向に沿って環状に形成された仕切板８３が設けられている。この仕切板８３には、周方向に一定の間隔を空けて複数のオリフィス８４が形成されている。この複数のオリフィス８４は、仕切板８３の板厚方向（鉛直方向）に貫通しており、改質流路６６には、複数のオリフィス８４を通じて原燃料ガス１６２が流入する。この仕切板８３は、鉛直方向に間隔を空けて複数設けられていても良い。
【００７０】
改質流路６６には、原燃料ガス１６２から燃料ガス１６３を生成するための改質触媒層７０が改質流路６６の周方向及び軸方向の全長に亘って設けられている。改質触媒層７０には、例えば、活性金属としてニッケル、ルテニウム、白金、ロジウム等の金属を担持した粒状触媒又はハニカム触媒等が用いられる。
【００７１】
酸化剤ガス流路６８の上端部は、上述の気化部４０に形成された酸化剤ガス流路４８と連通されている。この酸化剤ガス流路６８は、鉛直方向上側を上流側として形成されており、この酸化剤ガス流路６８には、気化部４０の酸化剤ガス流路４８から供給された酸化剤ガス１６４が鉛直方向上側から下側に流れる。
【００７２】
＜燃焼部＞
図４に示されるように、燃焼部９０は、上述の改質部６０の下方に改質部６０と同軸上に設けられている。この燃焼部９０の内部には、図５，図６に示される燃焼器２００が適用されている。燃焼器２００は、燃焼室周壁２０１と、燃焼室内壁２０２と、整流部２０３と、燃料ガス室仕切壁２０４と、一対の酸化剤ガス室側面仕切壁２０５と、一対の酸化剤ガス室天面仕切壁２０６とを有する。
【００７３】
燃焼室周壁２０１は、上述の改質部６０を構成する四重の筒状壁６１〜６４のうち内側から二番目の筒状壁６２を下方へ延長することにより形成されている（図４参照）。なお、図５，図６に示される燃焼器２００では、燃焼室周壁２０１に段部２０１Ａが形成されているが、図１，図４の燃料電池モジュールＭは、段部２０１Ａが省かれた状態で示されている。この燃焼室周壁２０１は、筒状に形成されており、この燃焼室周壁２０１の内側には、燃焼室２０７が形成されている。燃焼室周壁２０１の内側に形成された燃焼室２０７は、鉛直方向を軸方向として形成されている。燃焼室２０７では、後述する燃料ガスノズル２１０から噴出された燃料ガスと、第一酸化剤ガスノズル２１５から噴出された酸化剤ガスとが混合された混合ガスが燃焼される。
【００７４】
燃焼室内壁２０２は、燃焼室周壁２０１よりも小径であり、燃焼室周壁２０１の内側に設けられている。この燃焼室内壁２０２は、上述の改質部６０を構成する四重の筒状壁６１〜６４のうち最も内側の筒状壁６１の下端部によって形成されている（図４参照）。図５，図６に示されるように、燃焼室内壁２０２は、燃焼室２０７の上側に配置されている。燃焼室周壁２０１と燃焼室内壁２０２との間の隙間は、上述の改質部６０に形成された燃焼排ガス流路６７の入口部６７Ａとして形成されている。燃焼室２０７で生じた燃焼排ガスは、燃焼排ガス流路６７の入口部６７Ａから燃焼排ガス流路６７に流入する。
【００７５】
この燃焼室内壁２０２の下端部には、燃焼室２０７の下側に向けて延出する整流部２０３が形成されている。この整流部２０３は、燃焼室２０７の上側（下流側）に向かうに従って拡径する円錐状に形成されている。この整流部２０３の内側及び燃焼室内壁２０２の内側は、一例として、空洞とされている。
【００７６】
燃焼室内壁２０２及び整流部２０３は、上述の容器２０を構成する複数の管材２１〜２９のうち最も内側の管材２１（図１も参照）に形成されている。この管材２１の軸芯部には、パイプ１５０が設けられている。パイプ１５０は、管材２１に固定されており、このパイプ１５０の内側には、点火プラグ１５１が挿入されている。図１に示されるように、パイプ１５０の上端部は、管材２１における整流部２０３側と反対側の端部（上端部）から上方に導出されており、点火プラグ１５１は、パイプ１５０の上端側の開口を通じてパイプ１５０の内側に挿抜可能に挿入されている。
【００７７】
図６に示されるように、点火プラグ１５１は、導電性の芯材１５２と、芯材１５２を被覆する絶縁材１５３とを有する。芯材１５２の先端部（下端部）は、点火電極１５４として形成されており、芯材１５２の先端部よりも上側の部分は、導電部１５５として形成されている。パイプ１５０及び絶縁材１５３の下端部は、整流部２０３の先端部から突出されている。また、点火電極１５４は、パイプ１５０及び絶縁材１５３の下端部から突出されており、燃焼室２０７の中心軸線Ｌ上に配置されている。なお、この点火電極１５４は、火炎電流検知用のフレームロッドを兼ねている。点火電極１５４が火炎電流検知用のフレームロッドを兼ねる技術には、例えば、特公平７−１１７２４１号公報に記載の技術が適用される。
【００７８】
図５，図６に示されるように、燃焼室周壁２０１の内側には、燃焼室２０７に加えて、燃料ガス室２０８及び一対の酸化剤ガス室２０９が形成されている。燃料ガス室２０８は、燃焼室２０７の下側に燃焼室２０７と隣接して設けられている。この燃料ガス室２０８には、燃料電池セルスタック１０（図４参照）の燃料極から排出された燃料極排ガスが燃料ガスとして供給される。一対の酸化剤ガス室２０９は、燃焼室周壁２０１の径方向における燃料ガス室２０８の両側に燃料ガス室２０８と隣接して設けられている。各酸化剤ガス室２０９には、燃料電池セルスタック１０（図４参照）の空気極から排出された空気極排ガスが酸化剤ガスとして供給される。
【００７９】
燃料ガス室仕切壁２０４は、燃焼室周壁２０１の内側に設けられている。この燃料ガス室仕切壁２０４は、燃焼室周壁２０１の軸方向を板厚方向として配置されており、燃焼室２０７と燃料ガス室２０８とを区画している。この燃料ガス室仕切壁２０４には、燃料ガス室仕切壁２０４を貫通する多数の孔によって燃料ガスノズル２１０が形成されている。
【００８０】
燃料ガスノズル２１０は、燃焼室２０７の下側に設けられており、燃焼室２０７の上側に向けて開口されている。この燃料ガスノズル２１０は、燃料ガス室仕切壁２０４の中央部に形成されることにより、燃焼室２０７の中心軸線Ｌ上に配置されている。図７に示されるように、燃料ガスノズル２１０からは、燃料ガス室２０８に供給された燃料ガス１６５が燃焼室２０７の上側に向けて噴出される。
【００８１】
図５，図６に示されるように、一対の酸化剤ガス室側面仕切壁２０５は、燃焼室周壁２０１の径方向における燃料ガスノズル２１０の両側に設けられている。各酸化剤ガス室側面仕切壁２０５は、燃焼室側仕切壁２１１と、燃料ガス室側仕切壁２１２とを有する。燃焼室側仕切壁２１１は、燃料ガス室仕切壁２０４から燃焼室２０７側（上側）に立設されており、燃焼室２０７と酸化剤ガス室２０９とを区画している。一方、燃料ガス室側仕切壁２１２は、燃料ガス室仕切壁２０４から燃焼室２０７と反対側（下側）に立設されており、燃料ガス室２０８と酸化剤ガス室２０９とを区画している。
【００８２】
燃焼室側仕切壁２１１は、中央壁部２１３と、一対の側壁部２１４とを有する。中央壁部２１３は、燃料ガスノズル２１０に面して設けられている。一対の側壁部２１４は、中央壁部２１３の横幅方向の両側に形成され、中央壁部２１３に対して燃焼室２０７の外周部側へ鈍角に折り曲げられている。一対の側壁部２１４は、中央壁部２１３の横幅方向の両端部と燃焼室周壁２０１とを繋いでいる。なお、燃料ガス室側仕切壁２１２も、燃焼室側仕切壁２１１と同様の形状とされている。
【００８３】
各燃焼室側仕切壁２１１において、中央壁部２１３には、この中央壁部２１３を貫通する多数の孔によって第一酸化剤ガスノズル２１５が形成されており、一対の側壁部２１４には、各側壁部２１４を貫通する多数の孔によって第二酸化剤ガスノズル２１６が形成されている。
【００８４】
第一酸化剤ガスノズル２１５は、燃料ガスノズル２１０よりも燃焼室２０７の上側（下流側）に設けられている。第一酸化剤ガスノズル２１５を形成する多数の孔は、中央壁部２１３の全体に散りばめられて形成されており、これにより、中央壁部２１３の多数の孔によって形成された第一酸化剤ガスノズル２１５は、燃焼室２０７の中心軸線Ｌと交差（一例として直交）する第一軸線Ｌ１上に配置されている。この第一軸線Ｌ１は、中央壁部２１３の中央部を通過する。第一酸化剤ガスノズル２１５は、第一軸線Ｌ１の軸方向（燃焼室周壁２０１の径方向）に沿って開口されている。各中央壁部２１３に形成された一対の第一酸化剤ガスノズル２１５は、燃焼室周壁２０１の径方向における燃料ガスノズル２１０の両側に互いに対向して配置されている。
【００８５】
図７に示されるように、第一酸化剤ガスノズル２１５からは、酸化剤ガス室２０９に供給された酸化剤ガス１６６が第一軸線Ｌ１に沿って燃焼室周壁２０１の径方向内側に向けて噴出される。この第一酸化剤ガスノズル２１５から噴出された酸化剤ガス１６６は、燃料ガスノズル２１０から噴出された燃料ガス１６５と交差（直交）し、燃料ガス１６５と混合される。
【００８６】
図５，図６に示されるように、第二酸化剤ガスノズル２１６は、第一酸化剤ガスノズル２１５と同様に、燃料ガスノズル２１０よりも燃焼室２０７の上側（下流側）に設けられている。この第二酸化剤ガスノズル２１６を形成する多数の孔は、側壁部２１４の全体に散りばめられて形成されており、これにより、側壁部２１４の多数の孔によって形成された第二酸化剤ガスノズル２１６は、燃焼室２０７の中心軸線Ｌとねじれの位置にある第二軸線Ｌ２上に配置されている。この第二軸線Ｌ２は、側壁部２１４の中央部を通過する。第二酸化剤ガスノズル２１６は、第二軸線Ｌ２の軸方向（燃焼室周壁２０１の接線方向）に沿って開口されている。各燃焼室側仕切壁２１１において、一対の第二酸化剤ガスノズル２１６は、第一酸化剤ガスノズル２１５の両側に配置されている。
【００８７】
図８に示されるように、第二酸化剤ガスノズル２１６からは、酸化剤ガス室２０９に供給された酸化剤ガスが予備酸化剤ガス１６７として噴出される。この予備酸化剤ガス１６７は、第二酸化剤ガスノズル２１６から第二軸線Ｌ２に沿って燃焼室周壁２０１の接線方向に向けて噴出される。燃料ガスノズル２１０の軸線である中心軸線Ｌと、第二酸化剤ガスノズル２１６の軸線である第二軸線Ｌ２とは、上述の如くねじれの位置関係にあるため、第二酸化剤ガスノズル２１６から噴出された予備酸化剤ガス１６７は、燃料ガスノズル２１０から噴出された燃料ガス１６５（図７参照）と交差しない。
【００８８】
図６に示されるように、酸化剤ガス室天面仕切壁２０６は、燃焼室周壁２０１の軸方向を板厚方向として配置されており、燃焼室側仕切壁２１１の高さ方向の上端部と燃焼室周壁２０１とを繋いでいる。この酸化剤ガス室天面仕切壁２０６は、燃焼室２０７と酸化剤ガス室２０９とを区画している。
【００８９】
図４に示されるように、上述の燃焼器２００の周囲には、改質部６０の改質流路６６及び酸化剤ガス流路６８が形成されている。つまり、四重の筒状壁６１〜６４のうち内側から三番目及び四番目の筒状壁６３，６４は、下方へ延長されている。そして、筒状壁６２と筒状壁６３との間には、改質部６０の改質流路６６が延長して形成されており、筒状壁６３と筒状壁６４との間には、改質部６０の酸化剤ガス流路６８が延長して形成されている。
【００９０】
なお、本実施形態において、燃焼室２０７の下側は、本発明における「燃焼室の軸方向一方側」に相当し、燃焼室２０７の上側は、本発明における「燃焼室の軸方向他方側」に相当する。
【００９１】
＜予熱部＞
図４に示されるように、予熱部１００（収容部）は、燃焼部９０の下方に設けられた二重の筒状壁１０１，１０２によって構成されている。二重の筒状壁１０１，１０２のうち内側の筒状壁１０１は、五番目の管材２５の下部によって構成され、二重の筒状壁１０１，１０２のうち外側の筒状壁１０２は、六番目の管材２６の下部によって構成されている。
【００９２】
この予熱部１００は、燃料電池セルスタック１０の周囲に設けられており、燃料電池セルスタック１０を収容している。予熱部１００の内側には、内側空間１０４が形成されており、予熱部１００を構成する二重の筒状壁１０１，１０２の間には、予熱流路１０５が形成されている。
【００９３】
この予熱流路１０５には、予熱部１００の軸方向回りに螺旋状に形成された螺旋部材１０６が設けられており、この螺旋部材１０６により、予熱流路１０５は、予熱部１００の軸方向回りに螺旋状に形成されている。
【００９４】
この予熱流路１０５の上端部は、上述の改質部６０の酸化剤ガス流路６８と連通され、予熱流路１０５の下端部は、図１に示される底壁部３４と底壁部３５との間に形成された導入路３７を通じて燃料電池セルスタック１０の酸化剤ガス取入口１５と連通されている。図４に示されるように、予熱流路１０５は、鉛直方向上側を上流側として形成されており、この予熱流路１０５には、改質部６０の酸化剤ガス流路６８を通じて供給された酸化剤ガス１６４が鉛直方向上側から下側に流れる。
【００９５】
また、予熱部１００の内側には、上述の改質流路６６と、燃料電池セルスタック１０の燃料ガス取入口１６（図１参照）とを接続する燃料ガス配管１０７が設けられている。改質流路６６と燃料ガス配管１０７の内側とは、改質流路６６の下端部に設けられたオリフィス９８を通じて連通されている。
【００９６】
＜熱交換部＞
図２に示されるように、熱交換部１１０は、上述の改質部６０及び気化部４０の周囲に設けられた三重の筒状壁１１１〜１１３によって構成されている。三重の筒状壁１１１〜１１３における内側の筒状壁１１１は、七番目の管材２７によって構成され、三重の筒状壁１１１〜１１３における中央の筒状壁１１２は、八番目の管材２８によって構成され、三重の筒状壁１１１〜１１３における外側の筒状壁１１３は、九番目の管材２９によって構成されている。
【００９７】
この熱交換部１１０を構成する三重の筒状壁１１１〜１１３は、互いの間に隙間を有している。そして、内側の筒状壁１１１と中央の筒状壁１１２との間には、酸化剤ガス流路１１８が形成され、外側の筒状壁１１３と中央の筒状壁１１２との間には、燃焼排ガス流路１１７が形成されている。
【００９８】
酸化剤ガス流路１１８には、熱交換部１１０の軸方向回りに螺旋状に形成された螺旋部材１２１が設けられており、この螺旋部材１２１により、酸化剤ガス流路１１８は、熱交換部１１０の軸方向回りに螺旋状に形成されている。同様に、燃焼排ガス流路１１７には、熱交換部１１０の軸方向回りに螺旋状に形成された螺旋部材１２０が設けられており、この螺旋部材１２０により、燃焼排ガス流路１１７は、熱交換部１１０の軸方向回りに螺旋状に形成されている。
【００９９】
酸化剤ガス流路１１８の下端部には、容器２０の径方向外側に延びる酸化剤ガス供給管１２２（図１参照）が接続されている。連結部３１と連結部３２との間の隙間は、容器２０の径方向に延びる連結流路３８として形成されており、酸化剤ガス流路１１８の上端部は、連結流路３８を介して上述の気化部４０に形成された酸化剤ガス流路４８と連通されている。酸化剤ガス流路１１８は、鉛直方向下側を上流側として形成されており、この酸化剤ガス流路１１８には、酸化剤ガス供給管１２２（図１参照）から供給された酸化剤ガス１６４が鉛直方向下側から上側に流れる。
【０１００】
また、連結部３２と連結部３３との間の隙間は、容器２０の径方向に延びる連結流路３９として形成されており、燃焼排ガス流路１１７の上端部は、連結流路３９を介して上述の気化部４０に形成された燃焼排ガス流路４７と連通されている。この燃焼排ガス流路１１７の下端部には、容器２０の径方向外側に延びるガス排出管１２３（図１参照）が接続されている。燃焼排ガス流路１１７は、鉛直方向上側を上流側として形成されており、この燃焼排ガス流路１１７には、気化部４０の燃焼排ガス流路４７から供給された燃焼排ガス１６８が鉛直方向上側から下側に流れる。
【０１０１】
＜断熱層＞
図１に示されるように、改質部６０及び気化部４０と、熱交換部１１０とは、容器２０の径方向に離間しており、この改質部６０及び気化部４０と熱交換部１１０との間には、円筒状の断熱層１３０が介在されている。この断熱層１３０は、気化部４０及び改質部６０を外側から覆っている。
【０１０２】
＜断熱材＞
断熱材１４０は、円筒状の本体部１４１と、円盤状の上部１４２及び下部１４３とを有し、容器２０を覆っている。つまり、本体部１４１は、容器２０の周囲に設けられており、容器２０を外側から覆っている。上部１４２は、本体部１４１を鉛直方向上側から覆うと共に、容器２０の上部の周囲に設けられている。上部１４２は、鉛直方向上側から固定部材１４４により固定されている。下部１４３は、容器２０及び本体部１４１を鉛直方向下側から覆っている。この断熱材１４０の表面は、被覆シート１４５によって覆われている。
【０１０３】
＜燃料電池モジュールの動作＞
次に、本実施形態に係る燃料電池モジュールＭの動作について説明する。
【０１０４】
図１に示される原燃料供給管５０を通じて図２に示される気化流路４６に原燃料１６１（原燃料及び改質用水が混合されたもの）が供給されると、この原燃料１６１は、螺旋状に形成された気化流路４６を鉛直方向上側から下側へ流れる。このとき、気化部４０では、燃焼器２００（図４参照）から排出された燃焼排ガス１６８が燃焼排ガス流路４７を鉛直方向下側から上側に流れる。気化流路４６に隣接する燃焼排ガス流路４７に燃焼排ガス１６８が流れると、気化流路４６を流れる原燃料１６１と燃焼排ガス１６８との間で熱交換される。そして、気化流路４６では、原燃料１６１が気化され、図３に示される原燃料ガス１６２が生成される。
【０１０５】
この気化流路４６で気化された原燃料ガス１６２は、連結管８１の内側に形成されたオリフィス８２を通り、改質部６０の上方に形成された混合部８０の内側空間８５に流入する。このとき、気化流路４６で気化された原燃料ガス１６２は、連結管８１の内側のオリフィス８２を通過する際に流速が高められて噴流となり、混合部８０における径方向外側の対向壁部８６に衝突する。そして、原燃料ガス１６２が対向壁部８６に衝突することにより乱流が生じ、原燃料ガス１６２に含まれる炭化水素系ガス及び水蒸気が混合される。
【０１０６】
このようにして混合された原燃料ガス１６２は、対向壁部８６に衝突することにより径方向外側から鉛直方向下側に向きを変え、改質流路６６の入口に形成された複数のオリフィス８４を通じて改質流路６６に流入する。複数のオリフィス８４は、改質流路６６の周方向に一定の間隔を空けて並んでいるので、この複数のオリフィス８４を通過することで、改質流路６６には、原燃料ガス１６２が周方向に分散して流入する。
【０１０７】
また、このとき、改質部６０では、燃焼器２００（図４参照）から排出された燃焼排ガス１６８が燃焼排ガス流路６７を鉛直方向下側から上側に流れる。改質流路６６に隣接する燃焼排ガス流路６７に燃焼排ガス１６８が流れると、改質流路６６を流れる原燃料ガス１６２と燃焼排ガス１６８との間で熱交換される。そして、改質流路６６では、燃焼排ガス１６８の熱を利用して改質触媒層７０により原燃料ガス１６２から燃料ガス１６３が生成される。
【０１０８】
改質流路６６にて生成された燃料ガス１６３は、図４に示されるように、オリフィス９８を通過し、燃料ガス配管１０７の内側に流入する。そして、この燃料ガス１６３は、燃料ガス配管１０７を通じて燃料電池セルスタック１０の燃料ガス取入口１６（図１参照）に供給される。
【０１０９】
一方、このとき、図２に示される熱交換部１１０では、酸化剤ガス供給管１２２（図１参照）を通じて酸化剤ガス流路１１８に酸化剤ガス１６４が供給される。この酸化剤ガス１６４は、螺旋状に形成された酸化剤ガス流路１１８を鉛直方向下側から上側に流れる。このとき、熱交換部１１０では、燃焼器２００（図４参照）から排出された燃焼排ガス１６８が燃焼排ガス流路１１７を鉛直方向上側から下側に流れる。この燃焼排ガス１６８は、図１に示されるガス排出管１２３を通じて燃料電池モジュールＭの外部に排出される。
【０１１０】
図２に示されるように、酸化剤ガス流路１１８に隣接する燃焼排ガス流路１１７に燃焼排ガス１６８が流れると、酸化剤ガス流路１１８を流れる酸化剤ガス１６４と燃焼排ガス１６８との間で熱交換される。そして、燃料電池モジュールＭの外部へ排出される燃焼排ガス１６８の温度が低下され、燃料電池モジュールＭの外部への放熱が抑制される。一方、酸化剤ガス１６４は、燃焼排ガス１６８の熱を吸収し、予熱される。この熱交換部１１０にて予熱された酸化剤ガス１６４は、連結流路３８を通じて気化部４０の酸化剤ガス流路４８に流入し、その後、気化部４０の酸化剤ガス流路４８及び改質部６０の酸化剤ガス流路６８（図３，図４参照）を鉛直方向上側から下側に流れる。
【０１１１】
図２に示される気化部４０では、上述の通り、燃焼器２００（図４参照）から排出された燃焼排ガス１６８が燃焼排ガス流路４７を鉛直方向下側から上側に流れる。酸化剤ガス流路４８に隣接する燃焼排ガス流路４７に燃焼排ガス１６８が流れると、酸化剤ガス流路４８を流れる酸化剤ガス１６４と燃焼排ガス１６８との間で熱交換され、酸化剤ガス１６４がさらに予熱される。
【０１１２】
同様に、図３に示されるように、改質部６０では、燃焼器２００（図４参照）から排出された燃焼排ガス１６８が燃焼排ガス流路６７を鉛直方向下側から上側に流れる。改質流路６６を挟んだ酸化剤ガス流路６８と反対側の燃焼排ガス流路６７に燃焼排ガス１６８が流れると、酸化剤ガス流路６８を流れる酸化剤ガス１６４と燃焼排ガス１６８とが改質流路６６（改質触媒層７０）を介して熱交換し、このことによっても、酸化剤ガス１６４が予熱される。
【０１１３】
このように酸化剤ガス流路６８を流れることで予熱された酸化剤ガス１６４は、図４に示される予熱流路１０５に流入し、この螺旋状に形成された予熱流路１０５を鉛直方向上側から下側に流れる。この予熱流路１０５を流れる酸化剤ガス１６４は、燃料電池セルスタック１０の熱によってさらに予熱される。そして、この予熱流路１０５にて予熱された酸化剤ガス１６４は、燃料電池セルスタック１０の酸化剤ガス取入口１５（図１参照）に供給される。
【０１１４】
以上のようにして、図１に示される燃料電池セルスタック１０の燃料ガス取入口１６に燃料ガス（改質ガス）が供給されると共に、燃料電池セルスタック１０の酸化剤ガス取入口１５に酸化剤ガスが供給されると、燃料電池セルスタック１０では、各セル１２において、燃料ガスと酸化剤ガスとの電気化学反応により発電する。また、各セル１２は、発電に伴い発熱する。
【０１１５】
このように燃料電池セルスタック１０が起動すると、燃料電池セルスタック１０の燃料極からは、燃料極排ガスが排出され、燃料電池セルスタック１０の空気極からは、空気極排ガスが排出される。燃料極排ガスには、燃料電池セルスタック１０にて発電に供されなかった燃料ガスが含まれ、同様に、空気極排ガスには、燃料電池セルスタック１０にて発電に供されなかった酸化剤ガスが含まれる。
【０１１６】
図４に示されるように、燃料電池セルスタック１０の燃料極から排出された燃料極排ガスは、燃焼器２００の燃料ガス室２０８に燃料ガスとして供給され、燃料電池セルスタック１０の空気極から排出された空気極排ガスは、燃焼器２００の一対の酸化剤ガス室２０９に酸化剤ガスとしてそれぞれ供給される。
【０１１７】
そして、図７に示されるように、燃料ガスノズル２１０からは、燃料ガス室２０８に供給された燃料極排ガスである燃料ガス１６５が燃焼室２０７の上側に向けて燃焼室２０７内に噴出される。また、第一酸化剤ガスノズル２１５からは、酸化剤ガス室２０９に供給された空気極排ガスである酸化剤ガス１６６が燃焼室２０７内に噴出される。さらに、図８に示されるように、第二酸化剤ガスノズル２１６からは、酸化剤ガス室２０９に供給された空気極排ガスである予備酸化剤ガス１６７が燃焼室２０７内に噴出される。
【０１１８】
ここで、図８に示されるように、燃料ガスノズル２１０（燃料ガス室仕切壁２０４の多孔）は、燃焼室２０７の中心軸線Ｌ上に設けられ、第二酸化剤ガスノズル２１６（側壁部２１４の多孔）は、燃焼室２０７の中心軸線Ｌとねじれの位置にある第二軸線Ｌ２上に配置されている。したがって、第二酸化剤ガスノズル２１６から噴出された予備酸化剤ガス１６７は、燃料ガスノズル２１０から噴出された燃料ガス１６５（図７参照）と交差しない。一方、図７に示されるように、第一酸化剤ガスノズル２１５（中央壁部２１３の多孔）は、燃焼室２０７の中心軸線Ｌと交差する第一軸線Ｌ１上に配置されているので、第一酸化剤ガスノズル２１５から噴出された酸化剤ガス１６６の噴流は、燃料ガスノズル２１０から噴出された燃料ガス１６５の噴流と交差する。
【０１１９】
そして、燃料ガスノズル２１０から噴出された燃料ガス１６５と、第一酸化剤ガスノズル２１５から噴出された酸化剤ガス１６６とが交差することで混合され、混合ガスが生成される。この燃焼室２０７にて混合された混合ガスは、図４等に示される点火電極１５４とパイプ１５０や燃料ガス仕切壁２０４等の金属との間に形成されるスパークによって点火されて燃焼される。
【０１２０】
ここで、図９に示されるように、例えば、通常の空気比（理論空気比）の場合には、第一酸化剤ガスノズル２１５から噴出された酸化剤ガス１６６だけでは混合ガスの燃焼に必要な酸素が不足するため、燃焼は緩慢になる。したがって、この場合には、第二酸化剤ガスノズル２１６から噴出された予備酸化剤ガス１６７からも混合ガスの燃焼に必要な酸素が火炎１６９に供給され、燃焼反応が完結する。
【０１２１】
一方、図１０に示されるように、空気比が高い場合には、第一酸化剤ガスノズル２１５から噴出された酸化剤ガス１６６で混合ガスの燃焼に必要な酸素が足りるため、第一酸化剤ガスノズル２１５から噴出された酸化剤ガス１６６から混合ガスの燃焼に必要な酸素が火炎１６９に供給され、燃焼反応が完結する。したがって、この場合には、第二酸化剤ガスノズル２１６から噴出された予備酸化剤ガス１６７の噴流が、混合ガスの燃焼によって生ずる燃焼排ガス１６８に混合され、燃焼室２０７から排出される。
【０１２２】
このように、本実施形態では、通常の空気比（理論空気比）から高空気比（例えばλ＝５程度）までの広い空気比の範囲で火炎１６９が吹き消えず安定な燃焼が得られる。
【０１２３】
そして、このようにして燃焼室２０７に燃焼反応が生じ、この燃焼反応にて発生した燃焼排ガス１６８は、図４に示される整流部２０３に沿って燃焼排ガス流路６７の入口部６７Ａに流入する。この燃焼排ガス流路６７の入口部６７Ａに流入した燃焼排ガス１６８は、上述の通り、改質部６０の燃焼排ガス流路６７、気化部４０の燃焼排ガス流路４７（図３参照）、連結流路３９及び熱交換部１１０の燃焼排ガス流路１１７（図２参照）を流れた後、図１に示されるガス排出管１２３を通じて燃料電池モジュールＭの外部に排出される。
【０１２４】
次に、本発明の一実施形態の作用及び効果について説明する。
【０１２５】
以上詳述したように、本実施形態の燃焼器２００によれば、図７に示される如く、燃料ガスノズル２１０から噴出された燃料ガス１６５の噴流と、第一酸化剤ガスノズル２１５から噴出された酸化剤ガス１６６の噴流とが交差される。これにより、燃料ガス１６５の噴流と酸化剤ガス１６６の噴流とが互いに拡散しながら、燃料ガス１６５の燃焼範囲に収まる酸化剤ガス１６６と燃料ガス１６５とで混合領域が形成されるので、燃料ガス１６５及び酸化剤ガス１６６を効果的に混合させることができる。これにより、燃料ガス１６５及び酸化剤ガス１６６が混合された混合ガスの性状や組成等が異なる場合でも、混合ガスを安定して燃焼させることができる。
【０１２６】
また、図９に示されるように、例えば、通常の空気比（理論空気比）の場合には、第一酸化剤ガスノズル２１５から噴出された酸化剤ガス１６６だけでは混合ガスの燃焼に必要な酸素が不足するため、燃焼は緩慢になり、第二酸化剤ガスノズル２１６から噴出された予備酸化剤ガス１６７からも混合ガスの燃焼に必要な酸素が火炎１６９に供給され、燃焼反応が完結する。
【０１２７】
一方、図１０に示されるように、空気比が高い場合には、第一酸化剤ガスノズル２１５から噴出された酸化剤ガス１６６で混合ガスの燃焼に必要な酸素が足りるため、第一酸化剤ガスノズル２１５から噴出された酸化剤ガス１６６から混合ガスの燃焼に必要な酸素が火炎１６９に供給され、燃焼反応が完結する。この場合には、第二酸化剤ガスノズル２１６から噴出された予備酸化剤ガス１６７の噴流が、混合ガスの燃焼によって生ずる燃焼排ガス１６８に混合され、燃焼室２０７から排出される。
【０１２８】
以上より、通常の空気比（理論空気比）から高空気比（例えばλ＝５程度）までの広い空気比の範囲で火炎１６９が吹き消えず安定な燃焼を得ることができる。
【０１２９】
また、図７に示されるように、燃焼器２００では、互いに対向して配置された一対の第一酸化剤ガスノズル２１５から噴出された酸化剤ガス１６６の噴流が、燃料ガスノズル２１０から噴出された燃料ガス１６５の噴流の両側からこの燃料ガス１６５の噴流と交差される。これにより、燃料ガス１６５の噴流と酸化剤ガス１６６の噴流との拡散を促すことができるので、燃料ガス１６５及び酸化剤ガス１６６をより一層効果的に混合させることができる。
【０１３０】
また、図５，図６に示されるように、燃焼器２００では、燃料ガス室仕切壁２０４と、一対の酸化剤ガス室側面仕切壁２０５と、一対の酸化剤ガス室天面仕切壁２０６とによって、燃焼器２００を複数の空間（燃焼室２０７、燃料ガス室２０８、一対の酸化剤ガス室２０９）に区画することができるので、燃焼器２００の構造を簡素化することができる。これにより、燃焼器２００の小型化及び低コスト化を図ることができる。
【０１３１】
また、図８に示されるように、燃焼器２００では、第一酸化剤ガスノズル２１５が形成された中央壁部２１３に対して第二酸化剤ガスノズル２１６が形成された側壁部２１４が燃焼室２０７の外周部側へ鈍角に折り曲げられている。したがって、第一酸化剤ガスノズル２１５からの酸化剤ガス１６６の噴出方向と、第二酸化剤ガスノズル２１６からの予備酸化剤ガス１６７の噴出方向とが鋭角を成すので、図９に示されるように、例えば、通常の空気比（理論空気比）の場合には、第一酸化剤ガスノズル２１５からの酸化剤ガス１６６により燃焼された火炎１６９に、第二酸化剤ガスノズル２１６から噴出された予備酸化剤ガス１６７を効率良く供給することができる。一方、図１０に示されるように、空気比が高い場合には、火炎１６９の燃焼により生じた燃焼排ガス１６８に、第二酸化剤ガスノズル２１６から噴出された予備酸化剤ガス１６７を効率良く混合させることができる。
【０１３２】
また、図４に示されるように、燃焼器２００では、円錐状の整流部２０３によって燃焼排ガス１６８を燃焼室２０７の外周側に集めて整流することができるので、燃焼器２００の周囲に設けられた流路（図２〜図４に示される改質流路６６、改質部６０の酸化剤ガス流路６８、熱交換部１１０の酸化剤ガス流路１１８）を流れるガスに燃焼排ガス１６８の熱を効率良く伝達することができる。
【０１３３】
また、整流部２０３の内側は、空洞とされているので断熱作用があり、整流部２０３の内側への放熱を抑制して、燃焼器２００の外部（図２〜図４に示される改質流路６６等）へ伝達する熱量を増加させることができる。
【０１３４】
また、図１に示されるように、点火プラグ１５１は、パイプ１５０における整流部２０３側と反対側の開口を通じてパイプ１５０に対して挿抜可能とされているので、燃料電池モジュールＭの外部から点火プラグ１５１の交換を容易に行うことができる。
【０１３５】
また、本実施形態の燃料電池モジュールＭによれば、上述の燃焼器２００が適用されているので、起動時や発電時に燃料ガス及び酸化剤ガスを含むスタック排ガスの性状や組成等が異なる場合でも、その混合ガスを単一の燃焼器２００で安定して燃焼させることができる。これにより、燃焼器２００及びその周辺の構造を簡素化できるので、燃料電池モジュールＭの小型化及び低コスト化を図ることができる。
【０１３６】
また、気化部４０及び改質部６０は、多重の筒状壁によってそれぞれ形成されているので、気化部４０及び改質部６０の構造を簡素化することができると共に、気化部４０及び改質部６０を小型化することができる。また、燃焼器２００、改質部６０、気化部４０は、同軸上に配置されているので、燃料電池モジュールＭを径方向に小型化することができる。
【０１３７】
次に、本発明の一実施形態の変形例について説明する。
【０１３８】
上記実施形態では、図５に示されるように、酸化剤ガス室側面仕切壁２０５の燃焼室側仕切壁２１１に設けられた一対の側壁部２１４が、中央壁部２１３に対して燃焼室２０７の外周部側へ鈍角に折り曲げられているが、図１１に示されるように、一対の側壁部２１４は、中央壁部２１３に対して燃焼室２０７の外周部側へ直角に折り曲げられていても良い。
【０１３９】
このように構成されていると、第一酸化剤ガスノズル２１５からの酸化剤ガスの噴出方向と、第二酸化剤ガスノズル２１６からの予備酸化剤ガスの噴出方向とが直角を成すので、燃料ガスノズル２１０から噴出された燃料ガスと、第一酸化剤ガスノズル２１５から噴出された酸化剤ガスとの混合ガスに、第二酸化剤ガスノズル２１６から噴出された予備酸化剤ガスの噴流（二次空気）が干渉することを抑制することができる。これにより、例えば、空気比が高い場合には、混合ガスの燃焼に影響することを抑制することができるので、混合ガスの燃焼の安定性を向上させることができる。
【０１４０】
また、図５や図１１に示される例では、酸化剤ガス室側面仕切壁２０５が折り曲げられているが、図１２に示されるように、酸化剤ガス室側面仕切壁２０５は、折り曲げられずに、燃焼室周壁２０１の径方向に沿って直線状に形成されていても良い。
【０１４１】
このように構成されていると、酸化剤ガス室側面仕切壁２０５の構造、ひいては、燃焼器２００の内部構造を簡素化することができる。これにより、燃焼器２００の小型化及び低コスト化を図ることができる。
【０１４２】
また、上記実施形態において、整流部２０３は、円錐状に形成されているが、ドーム状に形成されていても良い。
【０１４３】
このように構成されていても、図４に示されるように、整流部２０３によって燃焼排ガス１６８を燃焼室２０７の外周側に集めて整流することができるので、燃焼器２００の周囲に設けられた流路（図２〜図４に示される改質流路６６、改質部６０の酸化剤ガス流路６８、熱交換部１１０の酸化剤ガス流路１１８）を流れるガスに燃焼排ガス１６８の熱を効率良く伝達することができる。
【０１４４】
また、上記実施形態において、整流部２０３の内側は、空洞とされているが、図１３に示されるように、整流部２０３の内側は、断熱材が充填された断熱部２１７とされていても良い。
【０１４５】
このように構成されていても、整流部２０３の内側への放熱を抑制して、燃焼器２００の外部（図２〜図４に示される改質流路６６等）へ伝達する熱量を増加させることができる。また、断熱材を用いる分、断熱性が向上するので、整流部２０３の内側が空洞とされる場合に比して、燃焼器２００の外部へ伝達する熱量をより一層増加させることができる。
【０１４６】
また、上記実施形態において、整流部２０３は、容器２０を構成する管材２１（図４参照）に形成されることで、金属製とされているが、図１４に示されるように、整流部２０３は、例えばセラミックなどの耐火材２１８により形成されていても良い。
【０１４７】
このように構成されていると、整流部２０３の近傍で火炎が生じる場合でも、整流部２０３の耐久性を確保することができる。
【０１４８】
また、上記実施形態では、酸化剤ガス室側面仕切壁２０５の燃焼室側仕切壁２１１に設けられた一対の側壁部２１４のそれぞれに第二酸化剤ガスノズル２１６が形成されているが、図１５に示されるように、各燃焼室側仕切壁２１１において、一対の側壁部２１４の一方には、第二酸化剤ガスノズル２１６が形成され、一対の側壁部２１４の他方には、第二酸化剤ガスノズル２１６が形成されていなくても良い。また、各燃焼室側仕切壁２１１において、第一酸化剤ガスノズル２１５は、中央壁部２１３における一方の側壁部２１４側（第二酸化剤ガスノズル２１６が形成された側）に偏って配置されていても良い。
【０１４９】
そして、各燃焼室側仕切壁２１１において、第一酸化剤ガスノズル２１５及び第二酸化剤ガスノズル２１６によって酸化剤ガスノズル２２０が形成され、この各燃焼室側仕切壁２１１に形成された一対の酸化剤ガスノズル２２０が、燃焼室２０７の中心軸線Ｌを中心に点対称に配置されても良い。
【０１５０】
このように構成されていると、第二酸化剤ガスノズル２２０から噴出された酸化剤ガスの噴流によって燃焼室２０７の中心軸線Ｌを中心に旋回流１７０が形成され、これにより、火炎及び燃焼排ガスも旋回されるので、火炎及び燃焼排ガスが燃焼室２０７の外周側に拡がり、燃焼室周壁２０１への熱伝達が促進される。これにより、燃焼器２００の周囲に設けられた流路（図２〜図４に示される改質流路６６、改質部６０の酸化剤ガス流路６８、熱交換部１１０の酸化剤ガス流路１１８）を流れるガスに燃焼排ガス１６８の熱を均一に伝達することができる。
【０１５１】
また、上記実施形態において、酸化剤ガス室側面仕切壁２０５が、燃焼室周壁２０１の径方向に沿って直線状に形成された場合に、燃焼室側仕切壁２１１は、例えば、次のように形成されても良い。
【０１５２】
すなわち、図１６に示される例において、各酸化剤ガス室側面仕切壁２０５の燃焼室側仕切壁２１１は、燃料ガスノズル２１０に面して設けられた中央壁部２１３と、中央壁部２１３の横幅方向の両側に設けられた一対の延長壁部２１９とを有している。一対の延長壁部２１９は、中央壁部２１３と燃焼室周壁２０１とを繋いでいる。
【０１５３】
中央壁部２１３には、第一酸化剤ガスノズル２１５が形成されている。各酸化剤ガス室側面仕切壁２０５の燃焼室側仕切壁２１１において、第二酸化剤ガスノズル２１６は、一対の延長壁部２１９の一方に形成されており、一対の延長壁部２１９の他方には形成されていない。各燃焼室側仕切壁２１１では、第一酸化剤ガスノズル２１５及び第二酸化剤ガスノズル２１６によって酸化剤ガスノズル２２０が形成されており、この各燃焼室側仕切壁２１１に形成された一対の酸化剤ガスノズル２２０は、燃焼室２０７の中心軸線Ｌを中心に点対称に配置されている。
【０１５４】
また、各酸化剤ガス室天面仕切壁２０６は、他方の延長壁部２１９側（第二酸化剤ガスノズル２１６が無い側）から一方の延長壁部２１９側（第二酸化剤ガスノズル２１６が有る側）に向かうに従って燃焼室２０７の上側に向かうように燃焼室２０７の軸方向に対して傾斜されている。
【０１５５】
このように構成されていると、傾斜する酸化剤ガス室天面仕切壁２０６によって、酸化剤ガスの噴流により形成された旋回流１７０の旋回性、ひいては、火炎及び燃焼排ガスの旋回性が増加されるので、燃焼室周壁２０１への熱伝達効率を向上させることができる。また、燃焼器２００の周囲に設けられた流路（図２〜図４に示される改質流路６６、改質部６０の酸化剤ガス流路６８、熱交換部１１０の酸化剤ガス流路１１８）を流れるガスに燃焼排ガス１６８の熱をより一層均一に伝達することができる。さらに、酸化剤ガス室側面仕切壁２０５の折り曲げが不要なので、燃焼器２００を小型化及び低コスト化することができる。
【０１５６】
また、上記実施形態において、第一酸化剤ガスノズル２１５及び第二酸化剤ガスノズル２１６は、燃焼室内壁２０１の径方向（横方向）に開口されているが、例えば、燃焼室２０７の斜め上方向に開口されていても良い。
【０１５７】
また、上記実施形態において、予熱部１００、燃焼部９０、改質部６０、気化部４０、及び、熱交換部１１０等を構成する複数の筒状壁は、いずれも横断面が真円形状である円筒状に形成されている。しかしながら、これらの筒状壁は、いずれも横断面が楕円形状である楕円筒状に形成されていても良い。
【０１５８】
また、予熱部１００、燃焼部９０、改質部６０、気化部４０、及び、熱交換部１１０等を構成する複数の筒状壁は、円筒状に形成されたものと、楕円筒状に形成されたものの両方を含んでいても良い。
【０１５９】
また、上記実施形態において、気化部４０は、四重の筒状壁４１〜４４の内側から外側に順に、断熱空間４５、気化流路４６、燃焼排ガス流路４７、及び、酸化剤ガス流路４８を有するが、四重の筒状壁４１〜４４の内側から外側に順に、断熱空間４５、燃焼排ガス流路４７、気化流路４６、及び、酸化剤ガス流路４８を有しても良い。
【０１６０】
また、熱交換部１１０は、内側の筒状壁１１１と中央の筒状壁１１２との間に酸化剤ガス流路１１８を有し、外側の筒状壁１１３と中央の筒状壁１１２との間に燃焼排ガス流路１１７を有する。しかしながら、熱交換部１１０は、内側の筒状壁１１１と中央の筒状壁１１２との間に燃焼排ガス流路１１７を有し、外側の筒状壁１１３と中央の筒状壁１１２との間に酸化剤ガス流路１１８を有するように構造が変更されても良い。
【０１６１】
また、酸化剤ガス１６４が流れる酸化剤ガス流路は、熱交換部１１０、気化部４０、及び、改質部６０に亘って形成されている。しかしながら、熱交換部１１０、気化部４０、及び、改質部６０から酸化剤ガス流路が省かれても良い。また、この場合に、気化部４０及び改質部６０は、三重の筒状壁によってそれぞれ構成されても良く、また、酸化剤ガス供給管１２２は、予熱流路１０５の上端部に接続されても良い。
【０１６２】
また、燃料電池モジュールＭは、熱交換部１１０を備えるが、この熱交換部１１０は、省かれても良い。
【０１６３】
また、熱交換部１１０は、気化部４０及び改質部６０の径方向外側に設けられているが、気化部４０の上方に気化部４０と同軸上に設けられても良い。
【０１６４】
また、予熱部１００は、二重の筒状壁１０１，１０２によって構成されているが、三重の筒状壁によって構成されても良い。また、この場合に、予熱部１００を構成する三重の筒状壁の間には、酸化剤ガスが流れる予熱流路１０５と、改質流路６６と連通し燃料ガスが流れる燃料ガス流路とが形成されても良い。
【０１６５】
また、予熱部１００の代わりに燃料電池セルスタック１０を単に収容する収容部（流路を有しない収容部）が設けられても良い。また、予熱部１００の代わりに収容部が設けられる場合に、改質流路６６及び酸化剤ガス流路６８と燃料電池セルスタック１０とは、配管等により接続されても良い。
【０１６６】
また、上記実施形態において、燃焼器２００は、燃料電池モジュールに適用されているが、例えば、燃料電池モジュール以外の機器に適用されても良い。また、燃焼器２００は、例えば、バイオガスなどの低カロリーガスを燃焼させるための燃焼器として利用されても良い。
【０１６７】
また、上記実施形態において、燃焼器２００は、燃焼室２０７の軸方向が鉛直方向となるように配置されているが、燃焼室２０７の軸方向が水平方向となるように配置されても良い。
【０１６８】
なお、上記複数の変形例のうち組み合わせ可能な変形例は、適宜組み合わされて実施されても良い。
【０１６９】
以上、本発明の一実施形態について説明したが、本発明は、上記に限定されるものでなく、上記以外にも、その主旨を逸脱しない範囲内において種々変形して実施可能であることは勿論である。
【符号の説明】
【０１７０】
Ｍ…燃料電池モジュール、１０…燃料電池セルスタック、４０…気化部、４１〜４４…筒状壁、４５…断熱空間、４６…気化流路、４７…燃焼排ガス流路、４８…酸化剤ガス流路、５０…原燃料供給管、６０…改質部、６１〜６４…筒状壁、６５…断熱空間、６６…改質流路、６７…燃焼排ガス流路、６７Ａ…入口部、６８…酸化剤ガス流路、７０…改質触媒層、９０…燃焼部、１００…予熱部、１０１，１０２…筒状壁、１０５…予熱流路、１０７…燃料ガス配管、１１０…熱交換部、１１１〜１１３…筒状壁、１１７…燃焼排ガス流路、１１８…酸化剤ガス流路、１２２…酸化剤ガス供給管、１２３…ガス排出管、１５０…パイプ、１５１…点火プラグ、１５４…点火電極、１６１…原燃料、１６２…原燃料ガス、１６３…燃料ガス、１６４…酸化剤ガス、１６５…燃料ガス、１６６…酸化剤ガス、１６７…予備酸化剤ガス、１６８…燃焼排ガス、１６９…火炎、１７０…旋回流、２００…燃焼器、２０１…燃焼室周壁、２０２…燃焼室内壁、２０３…整流部、２０４…燃料ガス室仕切壁、２０５…酸化剤ガス室側面仕切壁、２０６…酸化剤ガス室天面仕切壁、２０７…燃焼室、２０８…燃料ガス室、２０９…酸化剤ガス室、２１０…燃料ガスノズル、２１１…燃焼室側仕切壁、２１２…燃料ガス室側仕切壁、２１３…中央壁部、２１４…側壁部、２１５…第一酸化剤ガスノズル、２１６…第二酸化剤ガスノズル、２１７…断熱部、２１８…耐火材、２１９…延長壁部、２２０…酸化剤ガスノズル
【図１】
0006545562.tif 000002
【図２】
0006545562.tif 000003
【図３】
0006545562.tif 000004
【図４】
0006545562.tif 000005
【図５】
0006545562.tif 000006
【図６】
0006545562.tif 000007
【図７】
0006545562.tif 000008
【図８】
0006545562.tif 000009
【図９】
0006545562.tif 000010
【図１０】
0006545562.tif 000011
【図１１】
0006545562.tif 000012
【図１２】
0006545562.tif 000013
【図１３】
0006545562.tif 000014
【図１４】
0006545562.tif 000015
【図１５】
0006545562.tif 000016
【図１６】
0006545562.tif 000017